(57)【特許請求の範囲】
【請求項１】
物体側から順に並んだ、第１レンズ群と、第２レンズ群とにより実質的に２個のレンズ群からなり、
無限遠から近距離物体への合焦の際、前記第１レンズ群が固定されて、前記第２レンズ群が光軸に沿って物体側に移動して、隣り合う各レンズ群の間隔が変化し、
前記第１レンズ群と前記第２レンズ群の間に開口絞りが配置され、
前記開口絞りの像側に位置する前記第２レンズ群の最も物体側に配置されたレンズは負レンズであり、
前記第２レンズ群の最も物体側に配置された前記負レンズにおける物体側のレンズ面は凹面であり、
以下の条件式を満足することを特徴とする光学系。
０．１０＜（Ｒ２２＋Ｒ２１）／（Ｒ２２−Ｒ２１）＜３．００
０．２０＜ｆ／ＴＬ＜０．３５
０．１２＜｜Ｘ２｜／ｆ＜０．２０
但し、Ｒ２１：前記第２レンズ群の最も物体側に配置された前記負レンズにおける物体側のレンズ面の曲率半径、
Ｒ２２：前記第２レンズ群の最も物体側に配置された前記負レンズにおける像側のレンズ面の曲率半径、
ｆ：無限遠合焦状態の前記光学系の焦点距離、
Ｘ２：無限遠から近距離物体への合焦の際の前記第２レンズ群の移動量、
ＴＬ：無限遠合焦状態の前記光学系における最も物体側のレンズ面から像面までの光軸上の距離、なお最も像側のレンズ面から像面までは空気換算距離。
【請求項２】
物体側から順に並んだ、第１レンズ群と、第２レンズ群とにより実質的に２個のレンズ群からなり、
無限遠から近距離物体への合焦の際、前記第１レンズ群が固定されて、前記第２レンズ群が光軸に沿って物体側に移動して、隣り合う各レンズ群の間隔が変化し、
前記第１レンズ群と前記第２レンズ群の間に開口絞りが配置され、
前記開口絞りの像側に位置する前記第２レンズ群の最も物体側に配置されたレンズは負レンズであり、
前記第２レンズ群の最も物体側に配置された前記負レンズにおける物体側のレンズ面は凹面であり、
以下の条件式を満足することを特徴とする光学系。
０．１０＜（Ｒ２２＋Ｒ２１）／（Ｒ２２−Ｒ２１）＜３．００
０．２０＜ｆ／ＴＬ＜０．３０
０．４５＜Ｂｆ／ｆ＜０．８０
但し、Ｒ２１：前記第２レンズ群の最も物体側に配置された前記負レンズにおける物体側のレンズ面の曲率半径、
Ｒ２２：前記第２レンズ群の最も物体側に配置された前記負レンズにおける像側のレンズ面の曲率半径、
ｆ：無限遠合焦状態の前記光学系の焦点距離、
Ｂｆ：無限遠合焦状態の前記光学系における最も像側のレンズ面から像面までの光軸上の空気換算距離、
ＴＬ：無限遠合焦状態の前記光学系における最も物体側のレンズ面から像面までの光軸上の距離、なお最も像側のレンズ面から像面までは空気換算距離。
【請求項３】
物体側から順に並んだ、第１レンズ群と、第２レンズ群とにより実質的に２個のレンズ群からなり、
無限遠から近距離物体への合焦の際、前記第１レンズ群が固定されて、前記第２レンズ群が光軸に沿って物体側に移動して、隣り合う各レンズ群の間隔が変化し、
前記第１レンズ群と前記第２レンズ群の間に開口絞りが配置され、
前記開口絞りの像側に位置する前記第２レンズ群の最も物体側に配置されたレンズは負レンズであり、
前記第２レンズ群の最も物体側に配置された前記負レンズにおける物体側のレンズ面は凹面であり、
以下の条件式を満足することを特徴とする光学系。
０．１０＜（Ｒ２２＋Ｒ２１）／（Ｒ２２−Ｒ２１）＜３．００
０．２０＜ｆ／ＴＬ＜０．３０
０．９５＜ＤＧ１／ＤＧ２＜１．７０
但し、Ｒ２１：前記第２レンズ群の最も物体側に配置された前記負レンズにおける物体側のレンズ面の曲率半径、
Ｒ２２：前記第２レンズ群の最も物体側に配置された前記負レンズにおける像側のレンズ面の曲率半径、
ｆ：無限遠合焦状態の前記光学系の焦点距離、
ＤＧ１：前記第１レンズ群における最も物体側のレンズ面から最も像側のレンズ面までの光軸上の距離、
ＤＧ２：前記第２レンズ群における最も物体側のレンズ面から最も像側のレンズ面までの光軸上の距離、
ＴＬ：無限遠合焦状態の前記光学系における最も物体側のレンズ面から像面までの光軸上の距離、なお最も像側のレンズ面から像面までは空気換算距離。
【請求項４】
物体側から順に並んだ、第１レンズ群と、第２レンズ群とにより実質的に２個のレンズ群からなり、
無限遠から近距離物体への合焦の際、前記第１レンズ群が固定されて、前記第２レンズ群が光軸に沿って物体側に移動して、隣り合う各レンズ群の間隔が変化し、
前記第１レンズ群と前記第２レンズ群の間に開口絞りが配置され、
前記開口絞りの像側に位置する前記第２レンズ群の最も物体側に配置されたレンズは負レンズであり、
前記第２レンズ群の最も物体側に配置された前記負レンズにおける物体側のレンズ面は凹面であり、
前記第１レンズ群の最も像側に配置されたレンズにおける像側のレンズ面は凸面であり、
以下の条件式を満足することを特徴とする光学系。
０．１０＜（Ｒ２２＋Ｒ２１）／（Ｒ２２−Ｒ２１）＜３．００
０．２０＜ｆ／ＴＬ＜０．３０
但し、Ｒ２１：前記第２レンズ群の最も物体側に配置された前記負レンズにおける物体側のレンズ面の曲率半径、
Ｒ２２：前記第２レンズ群の最も物体側に配置された前記負レンズにおける像側のレンズ面の曲率半径、
ｆ：無限遠合焦状態の前記光学系の焦点距離、
ＴＬ：無限遠合焦状態の前記光学系における最も物体側のレンズ面から像面までの光軸上の距離、なお最も像側のレンズ面から像面までは空気換算距離。
【請求項５】
物体側から順に並んだ、第１レンズ群と、第２レンズ群とにより実質的に２個のレンズ群からなり、
無限遠から近距離物体への合焦の際、前記第１レンズ群が固定されて、前記第２レンズ群が光軸に沿って物体側に移動して、隣り合う各レンズ群の間隔が変化し、
前記第１レンズ群と前記第２レンズ群の間に開口絞りが配置され、
前記開口絞りの像側に位置する前記第２レンズ群の最も物体側に配置されたレンズは負レンズであり、
前記第２レンズ群の最も物体側に配置された前記負レンズにおける物体側のレンズ面は凹面であり、
以下の条件式を満足することを特徴とする光学系。
０．１０＜（Ｒ２２＋Ｒ２１）／（Ｒ２２−Ｒ２１）＜３．００
０．５０＜Ｂｆ／ｆ＜０．８０
但し、Ｒ２１：前記第２レンズ群の最も物体側に配置された前記負レンズにおける物体側のレンズ面の曲率半径、
Ｒ２２：前記第２レンズ群の最も物体側に配置された前記負レンズにおける像側のレンズ面の曲率半径、
Ｂｆ：無限遠合焦状態の前記光学系における最も像側のレンズ面から像面までの光軸上の空気換算距離、
ｆ：無限遠合焦状態の前記光学系の焦点距離。
【請求項６】
物体側から順に並んだ、第１レンズ群と、第２レンズ群とにより実質的に２個のレンズ群からなり、
無限遠から近距離物体への合焦の際、前記第１レンズ群が固定されて、前記第２レンズ群が光軸に沿って物体側に移動して、隣り合う各レンズ群の間隔が変化し、
前記第１レンズ群と前記第２レンズ群の間に開口絞りが配置され、
前記開口絞りの像側に位置する前記第２レンズ群の最も物体側に配置されたレンズは負レンズであり、
前記第２レンズ群の最も物体側に配置された前記負レンズにおける物体側のレンズ面は凹面であり、
前記第２レンズ群の最も像側に配置されたレンズにおける像側のレンズ面は凸面であり、
以下の条件式を満足することを特徴とする光学系。
０．１０＜（Ｒ２２＋Ｒ２１）／（Ｒ２２−Ｒ２１）＜３．００
０．４５＜Ｂｆ／ｆ＜０．８０
０．１０＜ｆ／ｆ１＜０．５５
５．２０＜Ｙ×ｆ／ＴＬ＜６．８０  ［単位：ｍｍ］
但し、Ｒ２１：前記第２レンズ群の最も物体側に配置された前記負レンズにおける物体側のレンズ面の曲率半径、
Ｒ２２：前記第２レンズ群の最も物体側に配置された前記負レンズにおける像側のレンズ面の曲率半径、
Ｂｆ：無限遠合焦状態の前記光学系における最も像側のレンズ面から像面までの光軸上の空気換算距離、
ｆ：無限遠合焦状態の前記光学系の焦点距離、
ｆ１：前記第１レンズ群の焦点距離、
Ｙ：前記光学系のイメージサークルの半径、
ＴＬ：無限遠合焦状態の前記光学系における最も物体側のレンズ面から像面までの光軸上の距離、なお最も像側のレンズ面から像面までは空気換算距離。
【請求項７】
物体側から順に並んだ、第１レンズ群と、第２レンズ群とにより実質的に２個のレンズ群からなり、
無限遠から近距離物体への合焦の際、前記第１レンズ群が固定されて、前記第２レンズ群が光軸に沿って物体側に移動して、隣り合う各レンズ群の間隔が変化し、
前記第１レンズ群と前記第２レンズ群の間に開口絞りが配置され、
前記開口絞りの像側に位置する前記第２レンズ群の最も物体側に配置されたレンズは負レンズであり、
前記第２レンズ群の最も物体側に配置された前記負レンズにおける物体側のレンズ面は凹面であり、
以下の条件式を満足することを特徴とする光学系。
０．１０＜（Ｒ２２＋Ｒ２１）／（Ｒ２２−Ｒ２１）＜３．００
０．１２＜｜Ｘ２｜／ｆ＜０．２０
０．１０＜ｆ／ｆ１＜０．５５
但し、Ｒ２１：前記第２レンズ群の最も物体側に配置された前記負レンズにおける物体側のレンズ面の曲率半径、
Ｒ２２：前記第２レンズ群の最も物体側に配置された前記負レンズにおける像側のレンズ面の曲率半径、
Ｘ２：無限遠から近距離物体への合焦の際の前記第２レンズ群の移動量、
ｆ：無限遠合焦状態の前記光学系の焦点距離、
ｆ１：前記第１レンズ群の焦点距離。
【請求項８】
物体側から順に並んだ、第１レンズ群と、第２レンズ群とにより実質的に２個のレンズ群からなり、
無限遠から近距離物体への合焦の際、前記第１レンズ群が固定されて、前記第２レンズ群が光軸に沿って物体側に移動して、隣り合う各レンズ群の間隔が変化し、
前記第１レンズ群と前記第２レンズ群の間に開口絞りが配置され、
前記開口絞りの像側に位置する前記第２レンズ群の最も物体側に配置されたレンズは負レンズであり、
前記第２レンズ群の最も物体側に配置された前記負レンズにおける物体側のレンズ面は凹面であり、
前記第１レンズ群の最も像側に配置されたレンズにおける像側のレンズ面は凸面であり、
以下の条件式を満足することを特徴とする光学系。
０．１０＜（Ｒ２２＋Ｒ２１）／（Ｒ２２−Ｒ２１）＜３．００
０．１２＜｜Ｘ２｜／ｆ＜０．２０
但し、Ｒ２１：前記第２レンズ群の最も物体側に配置された前記負レンズにおける物体側のレンズ面の曲率半径、
Ｒ２２：前記第２レンズ群の最も物体側に配置された前記負レンズにおける像側のレンズ面の曲率半径、
Ｘ２：無限遠から近距離物体への合焦の際の前記第２レンズ群の移動量、
ｆ：無限遠合焦状態の前記光学系の焦点距離。
【請求項９】
物体側から順に並んだ、第１レンズ群と、第２レンズ群とにより実質的に２個のレンズ群からなり、
無限遠から近距離物体への合焦の際、前記第１レンズ群が固定されて、前記第２レンズ群が光軸に沿って物体側に移動して、隣り合う各レンズ群の間隔が変化し、
前記第１レンズ群と前記第２レンズ群の間に開口絞りが配置され、
前記開口絞りの像側に位置する前記第２レンズ群の最も物体側に配置されたレンズは負レンズであり、
前記第２レンズ群の最も物体側に配置された前記負レンズにおける物体側のレンズ面は凹面であり、
前記第１レンズ群の最も像側に配置されたレンズにおける像側のレンズ面は凸面であり、
前記第２レンズ群の最も像側に配置されたレンズにおける像側のレンズ面は凸面であり、
以下の条件式を満足することを特徴とする光学系。
０．１０＜（Ｒ２２＋Ｒ２１）／（Ｒ２２−Ｒ２１）＜３．００
０．９５＜ＤＧ１／ＤＧ２＜１．７０
５．２０＜Ｙ×ｆ／ＴＬ＜６．８０  ［単位：ｍｍ］
但し、Ｒ２１：前記第２レンズ群の最も物体側に配置された前記負レンズにおける物体側のレンズ面の曲率半径、
Ｒ２２：前記第２レンズ群の最も物体側に配置された前記負レンズにおける像側のレンズ面の曲率半径、
ＤＧ１：前記第１レンズ群における最も物体側のレンズ面から最も像側のレンズ面までの光軸上の距離、
ＤＧ２：前記第２レンズ群における最も物体側のレンズ面から最も像側のレンズ面までの光軸上の距離、
Ｙ：前記光学系のイメージサークルの半径、
ｆ：無限遠合焦状態の前記光学系の焦点距離、
ＴＬ：無限遠合焦状態の前記光学系における最も物体側のレンズ面から像面までの光軸上の距離、なお最も像側のレンズ面から像面までは空気換算距離。
【請求項１０】
以下の条件式を満足することを特徴とする請求項５〜９のいずれか一項に記載の光学系。
０．２０＜ｆ／ＴＬ＜０．３５
但し、ｆ：無限遠合焦状態の前記光学系の焦点距離、
ＴＬ：無限遠合焦状態の前記光学系における最も物体側のレンズ面から像面までの光軸上の距離、なお最も像側のレンズ面から像面までは空気換算距離。
【請求項１１】
以下の条件式を満足することを特徴とする請求項１、請求項３、請求項４、および請求項７〜９のいずれか一項に記載の光学系。
０．４５＜Ｂｆ／ｆ＜０．８０
但し、Ｂｆ：無限遠合焦状態の前記光学系における最も像側のレンズ面から像面までの光軸上の空気換算距離、
ｆ：無限遠合焦状態の前記光学系の焦点距離。
【請求項１２】
以下の条件式を満足することを特徴とする請求項１〜５、請求項８、および請求項９のいずれか一項に記載の光学系。
０．１０＜ｆ／ｆ１＜０．５５
但し、ｆ：無限遠合焦状態の前記光学系の焦点距離、
ｆ１：前記第１レンズ群の焦点距離。
【請求項１３】
以下の条件式を満足することを特徴とする請求項１および請求項４〜８のいずれか一項に記載の光学系。
０．９５＜ＤＧ１／ＤＧ２＜１．７０
但し、ＤＧ１：前記第１レンズ群における最も物体側のレンズ面から最も像側のレンズ面までの光軸上の距離、
ＤＧ２：前記第２レンズ群における最も物体側のレンズ面から最も像側のレンズ面までの光軸上の距離。
【請求項１４】
以下の条件式を満足することを特徴とする請求項３、請求項５、および請求項９のいずれか一項に記載の光学系。
０．１２＜｜Ｘ２｜／ｆ＜０．２０
但し、Ｘ２：無限遠から近距離物体への合焦の際の前記第２レンズ群の移動量、
ｆ：無限遠合焦状態の前記光学系の焦点距離。
【請求項１５】
以下の条件式を満足することを特徴とする請求項３または５に記載の光学系。
５．２０＜Ｙ×ｆ／ＴＬ＜６．８０  ［単位：ｍｍ］
但し、Ｙ：前記光学系のイメージサークルの半径、
ｆ：無限遠合焦状態の前記光学系の焦点距離、
ＴＬ：無限遠合焦状態の前記光学系における最も物体側のレンズ面から像面までの光軸上の距離、なお最も像側のレンズ面から像面までは空気換算距離。
【請求項１６】
前記第１レンズ群の最も像側に配置されたレンズにおける像側のレンズ面が凸面であることを特徴とする請求項５に記載の光学系。
【請求項１７】
以下の条件式を満足することを特徴とする請求項１〜１６のいずれか一項に記載の光学系。
０．３０＜ｆ２／ＴＬ＜０．６５
但し、ｆ２：前記第２レンズ群の焦点距離、
ＴＬ：無限遠合焦状態の前記光学系における最も物体側のレンズ面から像面までの光軸上の距離、なお最も像側のレンズ面から像面までは空気換算距離。
【請求項１８】
以下の条件式を満足することを特徴とする請求項１〜１７のいずれか一項に記載の光学系。
−１２．０＜Ｒ１ｂ／φ１ｂ＜８．０
但し、Ｒ１ｂ：前記第１レンズ群の最も像側に配置されたレンズにおける像側のレンズ面の曲率半径、
φ１ｂ：前記第１レンズ群の最も像側に配置されたレンズにおける像側のレンズ面での有効径。
【請求項１９】
以下の条件式を満足することを特徴とする請求項１〜１８のいずれか一項に記載の光学系。
０．１０＜Ｙ／ＢＬ＜０．５６
但し、Ｙ：前記光学系のイメージサークルの半径、
ＢＬ：無限遠合焦状態の前記光学系における最も物体側のレンズ面から最も像側のレンズ面までの光軸上の距離。
【請求項２０】
前記第２レンズ群の最も像側に配置されたレンズにおける像側のレンズ面が凸面であることを特徴とする請求項１〜５、請求項７、請求項８、および請求項１０〜１９のいずれか一項に記載の光学系。
【請求項２１】
請求項１〜２０のいずれか一項に記載の光学系を搭載して構成される光学機器。
【発明の詳細な説明】
【技術分野】
【０００１】
本発明は、光学系およびこれを用いた光学機器に関する。
【背景技術】
【０００２】
従来から、デジタル一眼レフカメラやデジタルビデオカメラ等の光学機器に用いられる光学系として、広角撮影に適した明るい広角レンズが提案されている（例えば、特許文献１を参照）。例えば、広角レンズには、ガウス型のレンズ構成の物体側にアフォーカルコンバータが設けられて構成されたものがある。しかしながら、このような光学系では、光学系の全長や口径が大きくなり、全体として光学系が大型化するおそれがある。
【先行技術文献】
【特許文献】
【０００３】
【特許文献１】特開２０１４−２０２９５２号公報
【発明の概要】
【０００４】
第１の発明に係る光学系は、物体側から順に並んだ、第１レンズ群と、第２レンズ群とにより実質的に２個のレンズ群からなり、無限遠から近距離物体への合焦の際、前記第１レンズ群が固定されて、前記第２レンズ群が光軸に沿って物体側に移動して、隣り合う各レンズ群の間隔が変化し、前記第１レンズ群と前記第２レンズ群の間に開口絞りが配置され、前記開口絞りの像側に位置する前記第２レンズ群の最も物体側に配置されたレンズは負レンズであり、前記第２レンズ群の最も物体側に配置された前記負レンズにおける物体側のレンズ面は凹面であり、以下の条件式を満足する。
０．１０＜（Ｒ２２＋Ｒ２１）／（Ｒ２２−Ｒ２１）＜３．００
０．２０＜ｆ／ＴＬ＜０．３５
０．１２＜｜Ｘ２｜／ｆ＜０．２０
但し、Ｒ２１：前記第２レンズ群の最も物体側に配置された前記負レンズにおける物体側のレンズ面の曲率半径、
Ｒ２２：前記第２レンズ群の最も物体側に配置された前記負レンズにおける像側のレンズ面の曲率半径、
ｆ：無限遠合焦状態の前記光学系の焦点距離、
Ｘ２：無限遠から近距離物体への合焦の際の前記第２レンズ群の移動量、
ＴＬ：無限遠合焦状態の前記光学系における最も物体側のレンズ面から像面までの光軸上の距離、なお最も像側のレンズ面から像面までは空気換算距離。
第２の発明に係る光学系は、物体側から順に並んだ、第１レンズ群と、第２レンズ群とにより実質的に２個のレンズ群からなり、無限遠から近距離物体への合焦の際、前記第１レンズ群が固定されて、前記第２レンズ群が光軸に沿って物体側に移動して、隣り合う各レンズ群の間隔が変化し、前記第１レンズ群と前記第２レンズ群の間に開口絞りが配置され、前記開口絞りの像側に位置する前記第２レンズ群の最も物体側に配置されたレンズは負レンズであり、前記第２レンズ群の最も物体側に配置された前記負レンズにおける物体側のレンズ面は凹面であり、以下の条件式を満足する。
０．１０＜（Ｒ２２＋Ｒ２１）／（Ｒ２２−Ｒ２１）＜３．００
０．２０＜ｆ／ＴＬ＜０．３０
０．４５＜Ｂｆ／ｆ＜０．８０
但し、Ｒ２１：前記第２レンズ群の最も物体側に配置された前記負レンズにおける物体側のレンズ面の曲率半径、
Ｒ２２：前記第２レンズ群の最も物体側に配置された前記負レンズにおける像側のレンズ面の曲率半径、
ｆ：無限遠合焦状態の前記光学系の焦点距離、
Ｂｆ：無限遠合焦状態の前記光学系における最も像側のレンズ面から像面までの光軸上の空気換算距離、
ＴＬ：無限遠合焦状態の前記光学系における最も物体側のレンズ面から像面までの光軸上の距離、なお最も像側のレンズ面から像面までは空気換算距離。
第３の発明に係る光学系は、物体側から順に並んだ、第１レンズ群と、第２レンズ群とにより実質的に２個のレンズ群からなり、無限遠から近距離物体への合焦の際、前記第１レンズ群が固定されて、前記第２レンズ群が光軸に沿って物体側に移動して、隣り合う各レンズ群の間隔が変化し、前記第１レンズ群と前記第２レンズ群の間に開口絞りが配置され、前記開口絞りの像側に位置する前記第２レンズ群の最も物体側に配置されたレンズは負レンズであり、前記第２レンズ群の最も物体側に配置された前記負レンズにおける物体側のレンズ面は凹面であり、以下の条件式を満足する。
０．１０＜（Ｒ２２＋Ｒ２１）／（Ｒ２２−Ｒ２１）＜３．００
０．２０＜ｆ／ＴＬ＜０．３０
０．９５＜ＤＧ１／ＤＧ２＜１．７０
但し、Ｒ２１：前記第２レンズ群の最も物体側に配置された前記負レンズにおける物体側のレンズ面の曲率半径、
Ｒ２２：前記第２レンズ群の最も物体側に配置された前記負レンズにおける像側のレンズ面の曲率半径、
ｆ：無限遠合焦状態の前記光学系の焦点距離、
ＤＧ１：前記第１レンズ群における最も物体側のレンズ面から最も像側のレンズ面までの光軸上の距離、
ＤＧ２：前記第２レンズ群における最も物体側のレンズ面から最も像側のレンズ面までの光軸上の距離、
ＴＬ：無限遠合焦状態の前記光学系における最も物体側のレンズ面から像面までの光軸上の距離、なお最も像側のレンズ面から像面までは空気換算距離。
第４の発明に係る光学系は、物体側から順に並んだ、第１レンズ群と、第２レンズ群とにより実質的に２個のレンズ群からなり、無限遠から近距離物体への合焦の際、前記第１レンズ群が固定されて、前記第２レンズ群が光軸に沿って物体側に移動して、隣り合う各レンズ群の間隔が変化し、前記第１レンズ群と前記第２レンズ群の間に開口絞りが配置され、前記開口絞りの像側に位置する前記第２レンズ群の最も物体側に配置されたレンズは負レンズであり、前記第２レンズ群の最も物体側に配置された前記負レンズにおける物体側のレンズ面は凹面であり、前記第１レンズ群の最も像側に配置されたレンズにおける像側のレンズ面は凸面であり、以下の条件式を満足する。
０．１０＜（Ｒ２２＋Ｒ２１）／（Ｒ２２−Ｒ２１）＜３．００
０．２０＜ｆ／ＴＬ＜０．３０
但し、Ｒ２１：前記第２レンズ群の最も物体側に配置された前記負レンズにおける物体側のレンズ面の曲率半径、
Ｒ２２：前記第２レンズ群の最も物体側に配置された前記負レンズにおける像側のレンズ面の曲率半径、
ｆ：無限遠合焦状態の前記光学系の焦点距離、
ＴＬ：無限遠合焦状態の前記光学系における最も物体側のレンズ面から像面までの光軸上の距離、なお最も像側のレンズ面から像面までは空気換算距離。
【０００５】
第５の発明に係る光学系は、物体側から順に並んだ、第１レンズ群と、第２レンズ群とにより実質的に２個のレンズ群からなり、無限遠から近距離物体への合焦の際、前記第１レンズ群が固定されて、前記第２レンズ群が光軸に沿って物体側に移動して、隣り合う各レンズ群の間隔が変化し、前記第１レンズ群と前記第２レンズ群の間に開口絞りが配置され、前記開口絞りの像側に位置する前記第２レンズ群の最も物体側に配置されたレンズは負レンズであり、前記第２レンズ群の最も物体側に配置された前記負レンズにおける物体側のレンズ面は凹面であり、以下の条件式を満足する。
０．１０＜（Ｒ２２＋Ｒ２１）／（Ｒ２２−Ｒ２１）＜３．００
０．５０＜Ｂｆ／ｆ＜０．８０
但し、Ｒ２１：前記第２レンズ群の最も物体側に配置された前記負レンズにおける物体側のレンズ面の曲率半径、
Ｒ２２：前記第２レンズ群の最も物体側に配置された前記負レンズにおける像側のレンズ面の曲率半径、
Ｂｆ：無限遠合焦状態の前記光学系における最も像側のレンズ面から像面までの光軸上の空気換算距離、
ｆ：無限遠合焦状態の前記光学系の焦点距離。
第６の発明に係る光学系は、物体側から順に並んだ、第１レンズ群と、第２レンズ群とにより実質的に２個のレンズ群からなり、無限遠から近距離物体への合焦の際、前記第１レンズ群が固定されて、前記第２レンズ群が光軸に沿って物体側に移動して、隣り合う各レンズ群の間隔が変化し、前記第１レンズ群と前記第２レンズ群の間に開口絞りが配置され、前記開口絞りの像側に位置する前記第２レンズ群の最も物体側に配置されたレンズは負レンズであり、前記第２レンズ群の最も物体側に配置された前記負レンズにおける物体側のレンズ面は凹面であり、前記第２レンズ群の最も像側に配置されたレンズにおける像側のレンズ面は凸面であり、以下の条件式を満足する。
０．１０＜（Ｒ２２＋Ｒ２１）／（Ｒ２２−Ｒ２１）＜３．００
０．４５＜Ｂｆ／ｆ＜０．８０
０．１０＜ｆ／ｆ１＜０．５５
５．２０＜Ｙ×ｆ／ＴＬ＜６．８０  ［単位：ｍｍ］
但し、Ｒ２１：前記第２レンズ群の最も物体側に配置された前記負レンズにおける物体側のレンズ面の曲率半径、
Ｒ２２：前記第２レンズ群の最も物体側に配置された前記負レンズにおける像側のレンズ面の曲率半径、
Ｂｆ：無限遠合焦状態の前記光学系における最も像側のレンズ面から像面までの光軸上の空気換算距離、
ｆ：無限遠合焦状態の前記光学系の焦点距離、
ｆ１：前記第１レンズ群の焦点距離、
Ｙ：前記光学系のイメージサークルの半径、
ＴＬ：無限遠合焦状態の前記光学系における最も物体側のレンズ面から像面までの光軸上の距離、なお最も像側のレンズ面から像面までは空気換算距離。
【０００６】
第７の発明に係る光学系は、物体側から順に並んだ、第１レンズ群と、第２レンズ群とにより実質的に２個のレンズ群からなり、無限遠から近距離物体への合焦の際、前記第１レンズ群が固定されて、前記第２レンズ群が光軸に沿って物体側に移動して、隣り合う各レンズ群の間隔が変化し、前記第１レンズ群と前記第２レンズ群の間に開口絞りが配置され、前記開口絞りの像側に位置する前記第２レンズ群の最も物体側に配置されたレンズは負レンズであり、前記第２レンズ群の最も物体側に配置された前記負レンズにおける物体側のレンズ面は凹面であり、以下の条件式を満足する。
０．１０＜（Ｒ２２＋Ｒ２１）／（Ｒ２２−Ｒ２１）＜３．００
０．１２＜｜Ｘ２｜／ｆ＜０．２０
０．１０＜ｆ／ｆ１＜０．５５
但し、Ｒ２１：前記第２レンズ群の最も物体側に配置された前記負レンズにおける物体側のレンズ面の曲率半径、
Ｒ２２：前記第２レンズ群の最も物体側に配置された前記負レンズにおける像側のレンズ面の曲率半径、
Ｘ２：無限遠から近距離物体への合焦の際の前記第２レンズ群の移動量、
ｆ：無限遠合焦状態の前記光学系の焦点距離、
ｆ１：前記第１レンズ群の焦点距離。
第８の発明に係る光学系は、物体側から順に並んだ、第１レンズ群と、第２レンズ群とにより実質的に２個のレンズ群からなり、無限遠から近距離物体への合焦の際、前記第１レンズ群が固定されて、前記第２レンズ群が光軸に沿って物体側に移動して、隣り合う各レンズ群の間隔が変化し、前記第１レンズ群と前記第２レンズ群の間に開口絞りが配置され、前記開口絞りの像側に位置する前記第２レンズ群の最も物体側に配置されたレンズは負レンズであり、前記第２レンズ群の最も物体側に配置された前記負レンズにおける物体側のレンズ面は凹面であり、前記第１レンズ群の最も像側に配置されたレンズにおける像側のレンズ面は凸面であり、以下の条件式を満足する。
０．１０＜（Ｒ２２＋Ｒ２１）／（Ｒ２２−Ｒ２１）＜３．００
０．１２＜｜Ｘ２｜／ｆ＜０．２０
但し、Ｒ２１：前記第２レンズ群の最も物体側に配置された前記負レンズにおける物体側のレンズ面の曲率半径、
Ｒ２２：前記第２レンズ群の最も物体側に配置された前記負レンズにおける像側のレンズ面の曲率半径、
Ｘ２：無限遠から近距離物体への合焦の際の前記第２レンズ群の移動量、
ｆ：無限遠合焦状態の前記光学系の焦点距離。
【０００７】
第９の発明に係る光学系は、物体側から順に並んだ、第１レンズ群と、第２レンズ群とにより実質的に２個のレンズ群からなり、無限遠から近距離物体への合焦の際、前記第１レンズ群が固定されて、前記第２レンズ群が光軸に沿って物体側に移動して、隣り合う各レンズ群の間隔が変化し、前記第１レンズ群と前記第２レンズ群の間に開口絞りが配置され、前記開口絞りの像側に位置する前記第２レンズ群の最も物体側に配置されたレンズは負レンズであり、前記第２レンズ群の最も物体側に配置された前記負レンズにおける物体側のレンズ面は凹面であり、前記第１レンズ群の最も像側に配置されたレンズにおける像側のレンズ面は凸面であり、前記第２レンズ群の最も像側に配置されたレンズにおける像側のレンズ面は凸面であり、以下の条件式を満足する。
０．１０＜（Ｒ２２＋Ｒ２１）／（Ｒ２２−Ｒ２１）＜３．００
０．９５＜ＤＧ１／ＤＧ２＜１．７０
５．２０＜Ｙ×ｆ／ＴＬ＜６．８０  ［単位：ｍｍ］
但し、Ｒ２１：前記第２レンズ群の最も物体側に配置された前記負レンズにおける物体側のレンズ面の曲率半径、
Ｒ２２：前記第２レンズ群の最も物体側に配置された前記負レンズにおける像側のレンズ面の曲率半径、
ＤＧ１：前記第１レンズ群における最も物体側のレンズ面から最も像側のレンズ面までの光軸上の距離、
ＤＧ２：前記第２レンズ群における最も物体側のレンズ面から最も像側のレンズ面までの光軸上の距離、
Ｙ：前記光学系のイメージサークルの半径、
ｆ：無限遠合焦状態の前記光学系の焦点距離、
ＴＬ：無限遠合焦状態の前記光学系における最も物体側のレンズ面から像面までの光軸上の距離、なお最も像側のレンズ面から像面までは空気換算距離。
また、本発明に係る光学機器は、上記光学系を搭載して構成される。
【図面の簡単な説明】
【０００８】
【図１】本実施形態の第１実施例に係る光学系のレンズ構成を示す図である。
【図２】図２（ａ）は第１実施例に係る光学系の無限遠合焦時の諸収差図であり、図２（ｂ）は第１実施例に係る光学系の近距離合焦時の諸収差図である。
【図３】本実施形態の第２実施例に係る光学系のレンズ構成を示す図である。
【図４】図４（ａ）は第２実施例に係る光学系の無限遠合焦時の諸収差図であり、図４（ｂ）は第２実施例に係る光学系の近距離合焦時の諸収差図である。
【図５】本実施形態の第３実施例に係る光学系のレンズ構成を示す図である。
【図６】図６（ａ）は第３実施例に係る光学系の無限遠合焦時の諸収差図であり、図６（ｂ）は第３実施例に係る光学系の近距離合焦時の諸収差図である。
【図７】本実施形態の第４実施例に係る光学系のレンズ構成を示す図である。
【図８】図８（ａ）は第４実施例に係る光学系の無限遠合焦時の諸収差図であり、図８（ｂ）は第４実施例に係る光学系の近距離合焦時の諸収差図である。
【図９】本実施形態の第５実施例に係る光学系のレンズ構成を示す図である。
【図１０】図１０（ａ）は第５実施例に係る光学系の無限遠合焦時の諸収差図であり、図１０（ｂ）は第５実施例に係る光学系の近距離合焦時の諸収差図である。
【図１１】本実施形態に係る光学系を備えたカメラの構成を示す図である。
【図１２】本実施形態に係る光学系の製造方法を示すフローチャートである。
【発明を実施するための形態】
【０００９】
以下、本実施形態の光学系、光学機器について図を参照して説明する。本実施形態に係る光学系（広角レンズ）ＷＬの一例として、図１に示す光学系ＷＬ（１）は、物体側から順に並んだ、第１レンズ群Ｇ１と、第２レンズ群Ｇ２とを有して構成される。第１レンズ群Ｇ１と第２レンズ群Ｇ２の間に、開口絞りＳが配置される。開口絞りＳの像側に位置する第２レンズ群Ｇ２の最も物体側に負レンズが配置される。第２レンズ群Ｇ２の最も物体側に配置された負レンズにおける物体側のレンズ面は凹面である。このような光学系ＷＬ（１）において、無限遠から近距離物体への合焦の際、第１レンズ群Ｇ１が固定されて、第２レンズ群Ｇ２が光軸に沿って物体側に移動して、第１レンズ群Ｇ１と第２レンズ群Ｇ２との間隔が変化するようになっている。この構成により、大口径比を有しながら、小型で良好な光学性能を有した光学系を得ることが可能になる。
【００１０】
本実施形態に係る光学系ＷＬは、図３に示す光学系ＷＬ（２）でも良く、図５に示す光学系ＷＬ（３）でも良く、図７に示す光学系ＷＬ（４）でも良く、図９に示す光学系ＷＬ（５）でも良い。なお、図３、図５、図７、および図９に示す光学系ＷＬ（２）〜ＷＬ（５）の各レンズ群は、図１に示す光学系ＷＬ（１）と同様に構成される。
【００１１】
上記構成の下、本実施形態に係る光学系ＷＬは、次の条件式（１）を満足する。
【００１２】
０．１０＜（Ｒ２２＋Ｒ２１）／（Ｒ２２−Ｒ２１）＜３．００  ・・・（１）
但し、Ｒ２１：第２レンズ群Ｇ２の最も物体側に配置された負レンズにおける物体側のレンズ面の曲率半径、
Ｒ２２：第２レンズ群Ｇ２の最も物体側に配置された負レンズにおける像側のレンズ面の曲率半径。
【００１３】
条件式（１）は、第２レンズ群Ｇ２の最も物体側に配置された負レンズのシェイプファクターの適切な範囲を規定するための条件式である。開口絞りＳの像側に配置されるレンズ面は、軸外からの鋭角の入射光線を受ける第１レンズ群Ｇ１と、第１レンズ群Ｇ１から射出される光線をテレセントリックに整える第２レンズ群Ｇ２との間に位置する重要なレンズ面である。このレンズ面を有する第２レンズ群Ｇ２の最も物体側に配置された負レンズの適切な形状を示したものが条件式（１）である。なお、この負レンズがＲ２１＜Ｒ２２となるように形成されることで、諸収差の補正を容易に行うことができる。
【００１４】
条件式（１）の対応値が上限値を上回ると、第２レンズ群Ｇ２の最も物体側に配置された負レンズの形状のメニスカスの度合いが強すぎて、高次の収差が発生するので好ましくない。本実施形態の効果を確実にするために、条件式（１）の上限値を好ましくは２．９０とし、さらに好ましくは２．８５としてもよい。
【００１５】
条件式（１）の対応値が下限値を下回ると、第２レンズ群Ｇ２の最も物体側に配置された負レンズの形状の物体側に凹面を向ける度合いが強くなるため、球面収差やコマ収差の補正が困難になる。本実施形態の効果を確実にするために、条件式（１）の下限値を好ましくは０．２０とし、さらに好ましくは０．３０としてもよい。
【００１６】
本実施形態の光学系ＷＬは、次の条件式（２）を満足することが好ましい。
【００１７】
０．２０＜ｆ／ＴＬ＜０．３５  ・・・（２）
但し、ｆ：無限遠合焦状態の光学系ＷＬの焦点距離、
ＴＬ：無限遠合焦状態の光学系ＷＬにおける最も物体側のレンズ面から像面までの光軸上の距離、なお最も像側のレンズ面から像面までは空気換算距離。
【００１８】
条件式（２）は、光学系ＷＬの焦点距離と全長との適切な範囲を規定するための条件式である。条件式（２）を満足することで、光学系ＷＬの全長をできる限り小さく抑えながら、良好な光学性能を得ることができる。
【００１９】
条件式（２）の対応値が上限値を上回ると、光学系ＷＬの全長が短くなるため、各群のパワーを強くする必要があり、球面収差、コマ収差等の補正が困難になる。本実施形態の効果を確実にするために、条件式（２）の上限値を好ましくは０．３０とし、さらに好ましくは０．２８としてもよい。
【００２０】
条件式（２）の対応値が下限値を下回ると、光学系ＷＬの全長が長くなるため、第１レンズ群Ｇ１の負レンズの径が増大し、軸外収差や色収差の補正が困難になる。本実施形態の効果を確実にするために、条件式（２）の下限値を好ましくは０．２１とし、さらに好ましくは０．２３としてもよい。
【００２１】
本実施形態の光学系ＷＬは、次の条件式（３）を満足することが好ましい。
【００２２】
０．３０＜ｆ２／ＴＬ＜０．６５  ・・・（３）
但し、ｆ２：第２レンズ群Ｇ２の焦点距離、
ＴＬ：無限遠合焦状態の光学系ＷＬにおける最も物体側のレンズ面から像面までの光軸上の距離、なお最も像側のレンズ面から像面までは空気換算距離。
【００２３】
条件式（３）は、第２レンズ群Ｇ２の焦点距離と光学系ＷＬの全長との適切な範囲を規定するための条件式である。条件式（３）の対応値が上限値を上回ると、光学系ＷＬの全長が短すぎるため、コマ収差等の補正が困難になる。また、第２レンズ群Ｇ２のパワー（屈折力）が弱すぎるため、第２レンズ群Ｇ２を合焦群に設定した場合に、フォーカスに必要な倍率を稼ぐことができず、第１レンズ群Ｇ１と干渉するおそれがある。本実施形態の効果を確実にするために、条件式（３）の上限値を好ましくは０．６２とし、さらに好ましくは０．６０としてもよい。
【００２４】
条件式（３）の対応値が下限値を下回ると、光学系ＷＬの全長が長くなり、光学系全系が大型化するので好ましくない。また、第２レンズ群Ｇ２のパワーが強すぎるため、球面収差やコマ収差の補正が困難になる。本実施形態の効果を確実にするために、条件式（３）の下限値を好ましくは０．３５とし、さらに好ましくは０．４０としてもよい。
【００２５】
本実施形態の光学系ＷＬは、次の条件式（４）を満足することが好ましい。
【００２６】
０．４５＜Ｂｆ／ｆ＜０．８０  ・・・（４）
但し、Ｂｆ：無限遠合焦状態の光学系ＷＬにおける最も像側のレンズ面から像面までの光軸上の空気換算距離、
ｆ：無限遠合焦状態の光学系ＷＬの焦点距離。
【００２７】
条件式（４）は、光学系ＷＬの焦点距離とバックフォーカスとの適切な範囲を規定するための条件式である。条件式（４）の対応値が上限値を上回ると、バックフォーカスが長すぎるため、テレセントリック性は保たれるものの、光学系全系が大型化するので好ましくない。また、各レンズ群の焦点距離が短くなるため、球面収差やコマ収差の補正が困難になる。本実施形態の効果を確実にするために、条件式（４）の上限値を好ましくは０．７５とし、さらに好ましくは０．６８としてもよい。
【００２８】
条件式（４）の対応値が下限値を下回ると、バックフォーカスが短すぎるため、フィルタ等を配置するためのスペースを確保できない。また、射出瞳の位置が像面Ｉに近くなるため、シェーディングが顕著となり、特に画面周辺での解像の低下を招く。本実施形態の効果を確実にするために、条件式（４）の下限値を好ましくは０．５０とし、さらに好ましくは０．５５としてもよい。
【００２９】
本実施形態の光学系ＷＬは、次の条件式（５）を満足することが好ましい。
【００３０】
０．１０＜ｆ／ｆ１＜０．５５  ・・・（５）
但し、ｆ：無限遠合焦状態の光学系ＷＬの焦点距離、
ｆ１：第１レンズ群Ｇ１の焦点距離。
【００３１】
条件式（５）は、光学系ＷＬの焦点距離に対する第１レンズ群Ｇ１の焦点距離の適切な範囲を規定するための条件式である。条件式（５）の対応値が上限値を上回ると、第１レンズ群Ｇ１のパワー（屈折力）が強すぎるため、像面湾曲、非点収差、コマ収差等の軸外収差の補正が困難になる。本実施形態の効果を確実にするために、条件式（５）の上限値を好ましくは０．５０とし、さらに好ましくは０．４７としてもよい。
【００３２】
条件式（５）の対応値が下限値を下回ると、第１レンズ群Ｇ１のパワーが弱くなり、光学系全系が大型化するので好ましくない。また、第１レンズ群Ｇ１と第２レンズ群Ｇ２とのパワーバランスが崩れて、歪曲収差が変化するので好ましくない。本実施形態の効果を確実にするために、条件式（５）の下限値を好ましくは０．１３とし、さらに好ましくは０．１６としてもよい。
【００３３】
本実施形態の光学系ＷＬは、次の条件式（６）を満足することが好ましい。
【００３４】
０．９５＜ＤＧ１／ＤＧ２＜１．７０  ・・・（６）
但し、ＤＧ１：第１レンズ群Ｇ１における最も物体側のレンズ面から最も像側のレンズ面までの光軸上の距離、
ＤＧ２：第２レンズ群Ｇ２における最も物体側のレンズ面から最も像側のレンズ面までの光軸上の距離。
【００３５】
条件式（６）は、第１レンズ群Ｇ１の総厚（レンズ厚）と第２レンズ群Ｇ２の総厚との適切な配分を規定するための条件式である。なお、本実施形態のようなタイプの光学系では、第２レンズ群Ｇ２は合焦を担う場合が多いため軽量化が求められる。また、第１レン
ズ群Ｇ１の総厚を短縮することは、鏡筒の短縮化に直結する。また、第１レンズ群Ｇ１と第２レンズ群Ｇ２の間に開口絞りＳがあることを考慮すると、第１レンズ群Ｇ１の総厚と第２レンズ群Ｇ２の総厚との配分から射出瞳の位置を推測することが可能である。
【００３６】
条件式（６）の対応値が上限値を上回ると、第２レンズ群Ｇ２の総厚が薄すぎるため、球面収差、コマ収差等の補正が困難になる。また、第２レンズ群Ｇ２の総厚が薄すぎるため、像面Ｉから射出瞳の位置までの十分な距離を確保するのが困難になる。本実施形態の効果を確実にするために、条件式（６）の上限値を好ましくは１．６５とし、さらに好ましくは１．６１としてもよい。
【００３７】
条件式（６）の対応値が下限値を下回ると、第１レンズ群Ｇ１の総厚が薄すぎるため、歪曲収差の補正が困難になる。また、第２レンズ群Ｇ２の総厚が厚すぎるため、合焦の際、第２レンズ群Ｇ２の重量の負荷が大きくなる。本実施形態の効果を確実にするために、条件式（６）の下限値を好ましくは１．００とし、さらに好ましくは１．０８としてもよい。
【００３８】
本実施形態の光学系ＷＬは、次の条件式（７）を満足することが好ましい。
【００３９】
−１２．０＜Ｒ１ｂ／φ１ｂ＜８．０  ・・・（７）
但し、Ｒ１ｂ：第１レンズ群Ｇ１の最も像側に配置されたレンズにおける像側のレンズ面の曲率半径、
φ１ｂ：第１レンズ群Ｇ１の最も像側に配置されたレンズにおける像側のレンズ面での有効径。
【００４０】
条件式（７）は、第１レンズ群Ｇ１の最も像側に配置されたレンズにおける像側のレンズ面の適切な形状を規定するための条件式である。条件式（７）の対応値が上限値を上回ると、第１レンズ群Ｇ１の最も像側に配置されたレンズにおける像側のレンズ面の曲率半径がプラス側で（物体側に凸面を向ける側で）大きくなりすぎるため、当該レンズ面の曲率がプラス側で小さくなり、球面収差やコマ収差の補正が困難になる。本実施形態の効果を確実にするために、条件式（７）の上限値を好ましくは５．０とし、さらに好ましくは２．０としてもよい。
【００４１】
条件式（７）の対応値が下限値を下回ると、第１レンズ群Ｇ１の最も像側に配置されたレンズにおける像側のレンズ面の曲率半径がマイナス側で（像側に凸面を向ける側で）大きくなりすぎるため、当該レンズ面の曲率がマイナス側で小さくなり、軸外のコマ収差等の補正が困難になる。本実施形態の効果を確実にするために、条件式（７）の下限値を好ましくは−０．７とし、さらに好ましくは−４．０としてもよい。
【００４２】
本実施形態の光学系ＷＬは、次の条件式（８）を満足することが好ましい。
【００４３】
０．１０＜Ｙ／ＢＬ＜０．５６  ・・・（８）
但し、Ｙ：光学系ＷＬのイメージサークルの半径、
ＢＬ：無限遠合焦状態の光学系ＷＬにおける最も物体側のレンズ面から最も像側のレンズ面までの光軸上の距離。
【００４４】
条件式（８）は、光学系ＷＬのイメージサークルの半径（すなわち最大像高）とレンズ厚との適切な範囲を規定するための条件式である。条件式（８）の対応値が上限値を上回ると、撮像素子のフォーマットサイズに対して薄型のレンズ構成になっているが、コマ収差等の軸外の収差を補正することが困難になる。本実施形態の効果を確実にするために、条件式（８）の上限値を好ましくは０．５０とし、さらに好ましくは０．４０としてもよ
い。
【００４５】
条件式（８）の対応値が下限値を下回ると、光学系ＷＬの最大像高が小さくなるため、十分な画角が確保できない。また、球面収差等の補正が困難になる。本実施形態の効果を確実にするために、条件式（８）の下限値を好ましくは０．１５とし、さらに好ましくは０．２０としてもよい。
【００４６】
本実施形態の光学系ＷＬは、次の条件式（９）を満足することが好ましい。
【００４７】
０．１２＜｜Ｘ２｜／ｆ＜０．２０  ・・・（９）
但し、Ｘ２：無限遠から近距離物体への合焦の際の第２レンズ群Ｇ２の移動量、
ｆ：無限遠合焦状態の光学系ＷＬの焦点距離。
【００４８】
条件式（９）は、第２レンズ群Ｇ２の合焦時の移動量の適切な範囲を規定するための条件式である。条件式（９）の対応値が上限値を上回ると、第２レンズ群Ｇ２のパワー（屈折力）を弱くする必要があるため、至近距離合焦時の光学性能を良好に保つことができず、像面湾曲の補正が困難になる。本実施形態の効果を確実にするために、条件式（９）の上限値を好ましくは０．１９とし、さらに好ましくは０．１８としてもよい。
【００４９】
条件式（９）の対応値が下限値を下回ると、第２レンズ群Ｇ２のパワーを強くする必要があるため、球面収差、コマ収差等の補正が困難になる。本実施形態の効果を確実にするために、条件式（９）の下限値を好ましくは０．１３とし、さらに好ましくは０．１４としてもよい。
【００５０】
本実施形態の光学系ＷＬは、次の条件式（１０）を満足することが好ましい。
【００５１】
５．２０＜Ｙ×ｆ／ＴＬ＜６．８０  ・・・（１０）
但し、Ｙ：光学系ＷＬのイメージサークルの半径、
ｆ：無限遠合焦状態の光学系ＷＬの焦点距離、
ＴＬ：無限遠合焦状態の光学系ＷＬにおける最も物体側のレンズ面から像面までの光軸上の距離、なお最も像側のレンズ面から像面までは空気換算距離。
【００５２】
条件式（１０）は、光学系ＷＬのイメージサークルの半径と焦点距離の組み合わせに対し、光学系ＷＬの全長の適切な範囲を規定するための条件式である。条件式（１０）の対応値が上限値を上回ると、光学系ＷＬの全長が短くなるため、各レンズ群のパワーを強くする必要があり、球面収差、コマ収差等の諸収差の補正が困難になる。本実施形態の効果を確実にするために、条件式（１０）の上限値を好ましくは６．５０とし、さらに好ましくは６．００としてもよい。
【００５３】
条件式（１０）の対応値が下限値を下回ると、光学系ＷＬの全長が長くなるため、第１レンズ群Ｇ１の負レンズの径が大きくなり、軸外収差の補正が困難になる。本実施形態の効果を確実にするために、条件式（１０）の下限値を好ましくは５．２２とし、さらに好ましくは５．２５としてもよい。
【００５４】
本実施形態の光学系ＷＬにおいて、第２レンズ群Ｇ２の最も像側に配置されたレンズにおける像側のレンズ面が凸面であることが好ましい。これにより、ペッツバール和を適切に補正することが可能になり、像面Ｉから十分に離れた射出瞳の位置を確保することが可能になる。
【００５５】
本実施形態の光学系ＷＬにおいて、第１レンズ群Ｇ１の最も像側に配置されたレンズに
おける像側のレンズ面が凸面であることが好ましい。これにより、歪曲収差、像面湾曲および非点収差を良好に補正することができる。
【００５６】
本実施形態の光学系ＷＬにおいて、第２レンズ群Ｇ２は、物体側から順に並んだ、像側に凸面を向けたメニスカス形状の第１の負レンズと、両凸形状の第１の正レンズと、両凹形状の第２の負レンズと、両凸形状の第２の正レンズとを有して構成されてもよい。これにより、コマ収差と球面収差を良好に補正することが可能になる。
【００５７】
本実施形態の光学機器は、上述した構成の光学系ＷＬを備えて構成される。その具体例として、上記光学系ＷＬを備えたカメラ（光学機器）を図１１に基づいて説明する。このカメラ１は、図１１に示すように撮影レンズ２として上記実施形態に係る光学系ＷＬを備えたデジタルカメラである。カメラ１において、不図示の物体（被写体）からの光は、撮影レンズ２で集光されて、撮像素子３へ到達する。これにより被写体からの光は、当該撮像素子３によって撮像されて、被写体画像として不図示のメモリに記録される。このようにして、撮影者はカメラ１による被写体の撮影を行うことができる。なお、このカメラ１は、ミラーレスカメラでも、クイックリターンミラーを有した一眼レフタイプのカメラであってもよい。また、このカメラ１は、レンズ鏡筒とカメラボディ本体とが着脱可能な一眼レフタイプのカメラに限られるものではなく、レンズ鏡筒とカメラボディ本体とが一体型のコンパクトタイプのカメラであってもよい。このような構成によれば、撮影レンズとして上記光学系ＷＬを搭載することにより、大口径比を有しながら、小型で良好な光学性能を有した光学機器を得ることが可能になる。
【００５８】
続いて、図１２を参照しながら、上述の光学系ＷＬの製造方法について概説する。まず、鏡筒内に、物体側から順に並べて、第１レンズ群Ｇ１と、第２レンズ群Ｇ２とを配置する（ステップＳＴ１）。このとき、第１レンズ群Ｇ１と第２レンズ群Ｇ２の間に、開口絞りＳを配置する。また、開口絞りＳの像側に位置する第２レンズ群Ｇ２の最も物体側に負レンズを配置し、当該負レンズにおける物体側のレンズ面が凹面になるように形成する。そして、無限遠から近距離物体への合焦の際、第１レンズ群Ｇ１が固定されて、第２レンズ群Ｇ２が光軸に沿って物体側に移動して、第１レンズ群Ｇ１と第２レンズ群Ｇ２との間隔が変化するように構成する（ステップＳＴ２）。さらに、少なくとも上記条件式（１）を満足するように、レンズ鏡筒内に各レンズを配置する（ステップＳＴ３）。このような製造方法によれば、大口径比を有しながら、小型で良好な光学性能を有した光学系を製造することが可能になる。
【実施例】
【００５９】
以下、本実施形態の実施例に係る光学系（広角レンズ）ＷＬを図面に基づいて説明する。図１、図３、図５、図７、図９は、第１〜第５実施例に係る光学系ＷＬ｛ＷＬ（１）〜ＷＬ（５）｝の構成及び屈折力配分を示す断面図である。各断面図には、無限遠から近距離物体へ合焦する際の、（「無限遠」および「近距離」と併記された）各群の位置が記載されている。
【００６０】
これら図１、図３、図５、図７、図９において、各レンズ群を符号Ｇと数字の組み合わせにより、各レンズを符号Ｌと数字の組み合わせにより、それぞれ表している。この場合において、符号、数字の種類および数が大きくなって煩雑化するのを防止するため、実施例毎にそれぞれ独立して符号と数字の組み合わせを用いてレンズ群等を表している。このため、実施例間で同一の符号と数字の組み合わせが用いられていても、同一の構成であることを意味するものでは無い。
【００６１】
以下に表１〜表５を示すが、この内、表１は第１実施例、表２は第２実施例、表３は第３実施例、表４は第４実施例、表５は第５実施例における各諸元データを示す表である。
各実施例では収差特性の算出対象として、ｄ線（波長λ＝５８７．６ｎｍ）、ｇ線（波長λ＝４３５．８ｎｍ）を選んでいる。
【００６２】
［全体諸元］の表において、ｆは無限遠合焦状態の光学系ＷＬにおける全系の焦点距離を示し、ＦＮОはＦナンバーを示す。２ωは画角（単位は°（度）で、ωが半画角である）を示し、Ｙは像高（最大像高）を示す。Ｂｆは無限遠合焦状態の光学系ＷＬにおける最も像側のレンズ面から像面Ｉまでの光軸上の空気換算距離（バックフォーカス）を示し、ＴＬは無限遠合焦状態の光学系ＷＬにおける最も物体側のレンズ面から像面Ｉまでの光軸上の距離（全長）を示す。なお、ＴＬにおいて、光学系ＷＬにおける最も像側のレンズ面から像面Ｉまでは空気換算距離を示す。また、ＴＬおよびＢｆの値は、後述の［可変間隔データ］において、無限遠合焦状態、近距離（至近距離）合焦状態におけるそれぞれについて示す。
【００６３】
また、φ１ｂは第１レンズ群Ｇ１の最も像側に配置されたレンズにおける像側のレンズ面での有効径を示し、Ｘ２は無限遠から近距離物体への合焦の際の第２レンズ群Ｇ２の移動量を示す。移動量Ｘ２は、物体側から像側へ向かう方向を正とする。
【００６４】
［レンズ諸元］の表において、面番号は光線の進行する方向に沿った物体側からの光学面の順序を示し、Ｒは各光学面の曲率半径（曲率中心が像側に位置する面を正の値としている）、Ｄは各光学面から次の光学面（又は像面）までの光軸上の距離である面間隔、ｎｄは光学部材の材質のｄ線に対する屈折率、νｄは光学部材の材質のｄ線を基準とするアッベ数を、それぞれ示す。曲率半径の「∞」は平面又は開口を示し、（絞りＳ）は開口絞りＳを示す。空気の屈折率ｎｄ＝1.00000の記載は省略している。レンズ面が非球面であ
る場合には面番号に＊印を付して曲率半径Ｒの欄には近軸曲率半径を示している。
【００６５】
［非球面データ］の表には、［レンズ諸元］に示した非球面について、その形状を次式（ａ）で示す。Ｘ（ｙ）は非球面の頂点における接平面から高さｙにおける非球面上の位置までの光軸方向に沿った距離（ザグ量）を、Ｒは基準球面の曲率半径（近軸曲率半径）を、κは円錐定数を、Ａｉは第ｉ次の非球面係数を示す。「Ｅ-n」は、「×１０-n」を示す。例えば、1.234E-05＝1.234×10-5である。なお、２次の非球面係数Ａ２は０であり、その記載を省略している。
【００６６】
Ｘ（ｙ）＝（ｙ2／Ｒ）／｛１＋（１−κ×ｙ2／Ｒ2）1/2｝＋Ａ4×ｙ4＋Ａ6×ｙ6＋Ａ8×ｙ8＋Ａ10×ｙ10  ・・・（ａ）
【００６７】
［レンズ群データ］の表において、第１レンズ群Ｇ１および第２レンズ群Ｇ２のそれぞれの始面（最も物体側の面）と焦点距離を示す。
【００６８】
［可変間隔データ］の表は、［レンズ諸元］を示す表において面間隔が「可変」となっている面番号ｉにおける次の面までの面間隔Ｄｉを示す。例えば、第１実施例では、面番号７，１９での面間隔Ｄ７，Ｄ１９を示す。これらの値は、無限遠合焦状態、近距離（至近距離）合焦状態におけるそれぞれについて示す。
【００６９】
［条件式対応値］の表には、上記の条件式（１）〜（１０）に対応する値を示す。
【００７０】
以下、全ての諸元値において、掲載されている焦点距離ｆ、曲率半径Ｒ、面間隔Ｄ、その他の長さ等は、特記のない場合一般に「mm」が使われるが、光学系は比例拡大又は比例縮小しても同等の光学性能が得られるので、これに限られるものではない。
【００７１】
ここまでの表の説明は全ての実施例において共通であり、以下での重複する説明は省略
する。
【００７２】
（第１実施例）
第１実施例について、図１〜図２および表１を用いて説明する。図１は、本実施形態の第１実施例に係る光学系のレンズ構成を示す図である。第１実施例に係る光学系ＷＬ（１）は、物体側から順に並んだ、正の屈折力を有する第１レンズ群Ｇ１と、正の屈折力を有する第２レンズ群Ｇ２とから構成される。また、第１レンズ群Ｇ１と第２レンズ群Ｇ２との間に、開口絞りＳが配置される。各レンズ群の記号に付けている符号（＋）もしくは（−）は各レンズ群の屈折力を示し、このことは以下の全ての実施例でも同様である。
【００７３】
第１レンズ群Ｇ１は、物体側から順に並んだ、物体側に凸面を向けたメニスカス形状の第１の負レンズＬ１１と、両凹形状の第２の負レンズＬ１２および両凸形状の第１の正レンズＬ１３からなる接合レンズと、両凸形状の第２の正レンズＬ１４と、から構成される。すなわち、第１レンズ群Ｇ１は４枚のレンズから構成される。第１の負レンズＬ１１は、物体側のレンズ面が非球面である。
【００７４】
第２レンズ群Ｇ２は、物体側から順に並んだ、像側に凸面を向けたメニスカス形状の第１の負レンズＬ２１と、両凸形状の第１の正レンズＬ２２と、両凸形状の第２の正レンズＬ２３と、物体側に凸面を向けたメニスカス形状の第２の負レンズＬ２４と、物体側に凸面を向けたメニスカス形状の第３の負レンズＬ２５および両凸形状の第３の正レンズＬ２６からなる接合レンズと、から構成される。すなわち、第２レンズ群Ｇ２は６枚のレンズから構成される。第１の正レンズＬ２２は、像側のレンズ面が非球面である。
【００７５】
第２レンズ群Ｇ２の像側に、像面Ｉが配置される。第２レンズ群Ｇ２と像面Ｉとの間における像面Ｉの近傍に、像面Ｉに配設される撮像素子（例えば、ＣＣＤやＣＭＯＳ等）の限界解像以上の空間周波数をカットするためのローパスフィルタＦＬが配置される。第１実施例に係る光学系ＷＬ（１）では、無限遠から近距離物体への合焦の際、第１レンズ群Ｇ１が固定されるとともに、第２レンズ群Ｇ２が光軸に沿って物体側へ移動して、第１レンズ群Ｇ１と第２レンズ群Ｇ２との間隔が変化する（小さくなる）ように構成される。また、合焦の際、開口絞りＳが第２レンズ群Ｇ２とともに光軸に沿って移動するように構成される。
【００７６】
以下の表１に、第１実施例に係る光学系の諸元の値を掲げる。
【００７７】
（表１）
［全体諸元］
ｆ＝24.03
ＦＮＯ＝1.95
２ω＝86.2
Ｙ＝21.60
Ｂｆ＝27.018(空気換算長）
ＴＬ＝98.489(空気換算長）
φ１ｂ＝25.01
Ｘ２＝-3.592
［レンズ諸元］
面番号        Ｒ          Ｄ         ｎｄ        νｄ
1        61.00000      1.524      1.49710      81.6
2*       16.07881     19.148
3       -39.52997      1.000      1.72825      28.4
4        25.44383      6.899      1.90265      35.7
5       -58.29655      0.200
6        94.37151      2.095      1.95375      32.3
7      -299.84325      D7（可変）
8           ∞         4.568                          （絞りＳ）
9       -23.12889      1.000      1.72825      28.4
10      -52.88931      4.545
11      108.15411      4.892      1.95150      29.8
12*     -91.29359      0.100
13       39.72911      4.198      1.75500      52.3
14      -42.52504      0.100
15       72.26139      3.584      1.66446      35.9
16       21.80180      2.060
17     1631.11840      1.000      1.79504      28.7
18       21.79336      4.991      1.49700      81.7
19      -37.70133      D19（可変）
20          ∞         1.500      1.51680      64.2
21          ∞         0.000
［非球面データ］
第２面
κ=7.44500E-01
A4=-1.11688E-06,A6=1.89520E-08,A8=-8.66722E-11,A10=1.04786E-13
第１２面
κ=-1.73400E-01
A4=1.56371E-05,A6=7.15689E-09,A8=5.77717E-13,A10=3.50489E-14
［レンズ群データ］
群      始面      焦点距離
G1        1       141.96
G2        9        41.08
［可変間隔データ］
無限遠合焦状態      近距離合焦状態
ｆ＝24.03         β＝-0.1474
D0          ∞             151.00
D7         9.567             5.975
D19       25.929            29.521
Bf(air)   27.018            30.610
TL(air)   98.489            98.489
［条件式対応値］
条件式（１）  （Ｒ２２＋Ｒ２１）／（Ｒ２２−Ｒ２１）＝2.55
条件式（２）  ｆ／ＴＬ＝0.24
条件式（３）  ｆ２／ＴＬ＝0.41
条件式（４）  Ｂｆ／ｆ＝1.12
条件式（５）  ｆ／ｆ１＝0.17
条件式（６）  ＤＧ１／ＤＧ２＝1.17
条件式（７）  Ｒ１ｂ／φ１ｂ＝-11.99
条件式（８）  Ｙ／ＢＬ＝0.302
条件式（９）  ｜Ｘ２｜／ｆ＝0.15
条件式（１０）  Ｙ×ｆ／ＴＬ＝5.24
【００７８】
図２（ａ）は、第１実施例に係る光学系の無限遠合焦時の諸収差図である。図２（ａ）の各収差図において、ＦＮＯはＦナンバー、Ａは半画角をそれぞれ示す。なお、球面収差
図では最大口径に対応するＦナンバーの値を示し、非点収差図および歪曲収差図では半画角の最大値をそれぞれ示し、横収差図では各半画角の値を示す。図２（ｂ）は、第１実施例に係る光学系の近距離（至近距離）合焦時の諸収差図である。図２（ｂ）の各収差図において、ＮＡは開口数、Ｈ０は物体高をそれぞれ示す。なお、球面収差図では最大口径に対応する開口数の値を示し、非点収差図および歪曲収差図では物体高の最大値をそれぞれ示し、横収差図では各物体高の値を示す。また、図２（ａ）および図２（ｂ）の各収差図において、ｄはｄ線(波長λ＝５８７．６ｎｍ)、ｇはｇ線（波長λ＝４３５．８ｎｍ）をそれぞれ示す。非点収差図において、実線はサジタル像面、破線はメリディオナル像面をそれぞれ示す。なお、以下に示す各実施例の収差図においても、本実施例と同様の符号を用い、重複する説明は省略する。
【００７９】
各収差図より、第１実施例に係る光学系は、諸収差を良好に補正し優れた結像性能を有していることがわかる。
【００８０】
（第２実施例）
第２実施例について、図３〜図４および表２を用いて説明する。図３は、本実施形態の第２実施例に係る光学系のレンズ構成を示す図である。第２実施例に係る光学系ＷＬ（２）は、物体側から順に並んだ、正の屈折力を有する第１レンズ群Ｇ１と、正の屈折力を有する第２レンズ群Ｇ２とから構成される。また、第１レンズ群Ｇ１と第２レンズ群Ｇ２との間に、開口絞りＳが配置される。
【００８１】
第１レンズ群Ｇ１は、物体側から順に並んだ、物体側に凸面を向けたメニスカス形状の第１の負レンズＬ１１と、物体側に凸面を向けたメニスカス形状の第２の負レンズＬ１２と、両凸形状の第１の正レンズＬ１３と、両凹形状の第３の負レンズＬ１４および両凸形状の第２の正レンズＬ１５からなる接合レンズと、から構成される。すなわち、第１レンズ群Ｇ１は５枚のレンズから構成される。第１の正レンズＬ１３は、物体側のレンズ面が非球面である。
【００８２】
第２レンズ群Ｇ２は、物体側から順に並んだ、両凹形状の第１の負レンズＬ２１と、像側に凸面を向けたメニスカス形状の第１の正レンズＬ２２と、両凸形状の第２の正レンズＬ２３と、物体側に凸面を向けたメニスカス形状の第２の負レンズＬ２４と、両凹形状の第３の負レンズＬ２５および両凸形状の第３の正レンズＬ２６からなる接合レンズと、から構成される。すなわち、第２レンズ群Ｇ２は６枚のレンズから構成される。第１の負レンズＬ２１は、物体側のレンズ面が非球面である。第２の正レンズＬ２３は、像側のレンズ面が非球面である。
【００８３】
第２レンズ群Ｇ２の像側に、像面Ｉが配置される。第２レンズ群Ｇ２と像面Ｉとの間における像面Ｉの近傍に、像面Ｉに配設される撮像素子（例えば、ＣＣＤやＣＭＯＳ等）の限界解像以上の空間周波数をカットするためのローパスフィルタＦＬが配置される。第２実施例に係る光学系ＷＬ（２）では、無限遠から近距離物体への合焦の際、第１レンズ群Ｇ１が固定されるとともに、第２レンズ群Ｇ２が光軸に沿って物体側へ移動して、第１レンズ群Ｇ１と第２レンズ群Ｇ２との間隔が変化する（小さくなる）ように構成される。また、合焦の際、開口絞りＳが第２レンズ群Ｇ２とともに光軸に沿って移動するように構成される。
【００８４】
以下の表２に、第２実施例に係る光学系の諸元の値を掲げる。
【００８５】
（表２）
［全体諸元］
ｆ＝24.09
ＦＮＯ＝1.85
２ω＝85.4
Ｙ＝21.60
Ｂｆ＝16.046  (空気換算長）
ＴＬ＝98.489(空気換算長）
φ１ｂ＝27.98
Ｘ２＝-4.192
［レンズ諸元］
面番号        Ｒ          Ｄ         ｎｄ        νｄ
1        61.00000      1.980      1.67270      32.2
2        23.15274      7.051
3       107.22972      1.000      1.66755      41.9
4        28.01217      9.439
5*       45.38890      4.210      1.95150      29.8
6      -240.05180      7.560
7       -49.14202      1.000      1.69895      30.1
8        35.49623      7.421      1.88300      40.7
9       -41.96879      D9（可変）
10          ∞         3.319                          （絞りＳ）
11*     -55.74290      2.391      1.84681      23.6
12      157.34103      2.383
13     -114.23645      3.509      1.80610      41.0
14      -25.00000      1.500
15       38.65454      6.108      1.77250      49.5
16*     -34.03812      0.100
17      366.29782      3.109      1.80100      34.9
18       21.06154      3.672
19    -2295.36810      1.000      1.69895      30.1
20       23.32581      5.870      1.58913      61.2
21     -190.00000      D21（可変）
22          ∞         1.500      1.51680      64.2
23          ∞         0.100
［非球面データ］
第５面
κ=4.61700E-01
A4=-7.16734E-07,A6=-1.63781E-09,A8=2.70647E-12,A10=-1.86351E-14
第１１面
κ=7.55290E+00
A4=-3.49326E-05,A6=-2.64640E-08,A8=1.07434E-10,A10=4.95139E-15
第１６面
κ=5.78000E-02
A4=1.66911E-07,A6=1.21571E-08,A8=-1.13971E-11,A10=3.58849E-14
［レンズ群データ］
群      始面      焦点距離
G1        1        53.41
G2       11        52.51
［可変間隔データ］
無限遠合焦状態      近距離合焦状態
ｆ＝24.09         β＝-0.1448
D0          ∞             151.00
D9         9.821             5.629
D21       14.957            19.148
Bf(air)   16.046            20.237
TL(air)   98.489            98.489
［条件式対応値］
条件式（１）  （Ｒ２２＋Ｒ２１）／（Ｒ２２−Ｒ２１）＝0.48
条件式（２）  ｆ／ＴＬ＝0.24
条件式（３）  ｆ２／ＴＬ＝0.53
条件式（４）  Ｂｆ／ｆ＝0.67
条件式（５）  ｆ／ｆ１＝0.45
条件式（６）  ＤＧ１／ＤＧ２＝1.34
条件式（７）  Ｒ１ｂ／φ１ｂ＝-1.50
条件式（８）  Ｙ／ＢＬ＝0.262
条件式（９）  ｜Ｘ２｜／ｆ＝0.17
条件式（１０）  Ｙ×ｆ／ＴＬ＝5.26
【００８６】
図４（ａ）は、第２実施例に係る光学系の無限遠合焦時の諸収差図である。図４（ｂ）は、第２実施例に係る光学系の近距離（至近距離）合焦時の諸収差図である。各収差図より、第２実施例に係る光学系は、諸収差を良好に補正し優れた結像性能を有していることがわかる。
【００８７】
（第３実施例）
第３実施例について、図５〜図６および表３を用いて説明する。図５は、本実施形態の第３実施例に係る光学系のレンズ構成を示す図である。第３実施例に係る光学系ＷＬ（３）は、物体側から順に並んだ、正の屈折力を有する第１レンズ群Ｇ１と、正の屈折力を有する第２レンズ群Ｇ２とから構成される。また、第１レンズ群Ｇ１と第２レンズ群Ｇ２との間に、開口絞りＳが配置される。
【００８８】
第１レンズ群Ｇ１は、物体側から順に並んだ、物体側に凸面を向けたメニスカス形状の第１の負レンズＬ１１と、物体側に凸面を向けたメニスカス形状の第１の正レンズＬ１２と、像側に凸面を向けたメニスカス形状の第２の正レンズＬ１３および両凹形状の第２の負レンズＬ１４からなる接合レンズと、両凸形状の第３の正レンズＬ１５と、から構成される。すなわち、第１レンズ群Ｇ１は５枚のレンズから構成される。第１の正レンズＬ１２は、像側のレンズ面が非球面である。
【００８９】
第２レンズ群Ｇ２は、物体側から順に並んだ、像側に凸面を向けたメニスカス形状の第１の負レンズＬ２１と、両凸形状の第１の正レンズＬ２２および像側に凸面を向けたメニスカス形状の第２の負レンズＬ２３からなる接合レンズと、両凸形状の第２の正レンズＬ２４と、両凹形状の第３の負レンズＬ２５と、像側に凸面を向けたメニスカス形状の第４の負レンズＬ２６および像側に凸面を向けたメニスカス形状の第３の正レンズＬ２７からなる接合レンズと、から構成される。すなわち、第２レンズ群Ｇ２は７枚のレンズから構成される。第２の正レンズＬ２４は、像側のレンズ面が非球面である。第３の正レンズＬ２７は、像側のレンズ面が非球面である。
【００９０】
第２レンズ群Ｇ２の像側に、像面Ｉが配置される。第２レンズ群Ｇ２と像面Ｉとの間における像面Ｉの近傍に、像面Ｉに配設される撮像素子（例えば、ＣＣＤやＣＭＯＳ等）の限界解像以上の空間周波数をカットするためのローパスフィルタＦＬが配置される。第３実施例に係る光学系ＷＬ（３）では、無限遠から近距離物体への合焦の際、第１レンズ群Ｇ１が固定されるとともに、第２レンズ群Ｇ２が光軸に沿って物体側へ移動して、第１レンズ群Ｇ１と第２レンズ群Ｇ２との間隔が変化する（小さくなる）ように構成される。ま
た、合焦の際、開口絞りＳが第１レンズ群Ｇ１とともに固定されるように構成される。
【００９１】
以下の表３に、第３実施例に係る光学系の諸元の値を掲げる。
【００９２】
（表３）
［全体諸元］
ｆ＝24.14
ＦＮＯ＝1.85
２ω＝85.2
Ｙ＝21.60
Ｂｆ＝16.092(空気換算長）
ＴＬ＝98.489(空気換算長）
φ１ｂ＝23.98
Ｘ２＝-3.954
［レンズ諸元］
面番号        Ｒ          Ｄ         ｎｄ        νｄ
1       103.66156      1.800      1.58913      61.2
2        20.42084     16.831
3        64.27053      1.860      1.88202      37.2
4*      135.57264      9.763
5       -55.25307      6.230      1.80604      40.7
6       -20.58872      1.200      1.66446      35.9
7        92.74950      0.500
8        55.32621      4.140      1.80400      46.6
9       -51.80704      3.761
10          ∞         D10（可変）                    （絞りＳ）
11      -41.48146      2.000      1.68893      31.2
12      -87.94541      0.600
13       25.38767      7.248      1.69350      53.2
14      -26.98527      1.000      1.80100      34.9
15     -216.57089      2.720
16      121.88390      2.962      1.82080      42.7
17*     -56.93890      1.616
18     -217.18037      2.039      1.69895      30.1
19       32.18253      5.258
20      -25.67890      1.000      1.71736      29.6
21     -188.05035      3.000      1.80610      40.7
22*     -30.00000      D22（可変）
23          ∞         1.500      1.51680      64.2
24          ∞         0.000
［非球面データ］
第４面
κ=4.20000E+01
A4=6.07770E-07,A6=2.82158E-11,A8=3.48783E-12,A10=-1.69590E-14
第１７面
κ=-8.18280E+00
A4=1.15224E-05,A6=-1.65861E-08,A8=-1.36830E-10,A10=3.82021E-13
第２２面
κ=2.41950E+00
A4=2.89965E-05,A6=6.30910E-08,A8=3.81139E-10,A10=7.26525E-13
［レンズ群データ］
群      始面      焦点距離
G1        1        67.39
G2       11        56.98
［可変間隔データ］
無限遠合焦状態      近距離合焦状態
ｆ＝24.14         β＝-0.1469
D0          ∞             151.00
D10        6.869             2.915
D22       15.003            18.957
Bf(air)   16.092            20.046
TL(air)   98.489            98.489
［条件式対応値］
条件式（１）  （Ｒ２２＋Ｒ２１）／（Ｒ２２−Ｒ２１）＝2.79
条件式（２）  ｆ／ＴＬ＝0.24
条件式（３）  ｆ２／ＴＬ＝0.58
条件式（４）  Ｂｆ／ｆ＝0.67
条件式（５）  ｆ／ｆ１＝0.36
条件式（６）  ＤＧ１／ＤＧ２＝1.57
条件式（７）  Ｒ１ｂ／φ１ｂ＝-2.16
条件式（８）  Ｙ／ＢＬ＝0.262
条件式（９）  ｜Ｘ２｜／ｆ＝0.16
条件式（１０）  Ｙ×ｆ／ＴＬ＝5.27
【００９３】
図６（ａ）は、第３実施例に係る光学系の無限遠合焦時の諸収差図である。図６（ｂ）は、第３実施例に係る光学系の近距離（至近距離）合焦時の諸収差図である。各収差図より、第３実施例に係る光学系は、諸収差を良好に補正し優れた結像性能を有していることがわかる。
【００９４】
（第４実施例）
第４実施例について、図７〜図８および表４を用いて説明する。図７は、本実施形態の第４実施例に係る光学系のレンズ構成を示す図である。第４実施例に係る光学系ＷＬ（４）は、物体側から順に並んだ、正の屈折力を有する第１レンズ群Ｇ１と、正の屈折力を有する第２レンズ群Ｇ２とから構成される。また、第１レンズ群Ｇ１と第２レンズ群Ｇ２との間に、開口絞りＳが配置される。
【００９５】
第１レンズ群Ｇ１は、物体側から順に並んだ、物体側に凸面を向けたメニスカス形状の第１の負レンズＬ１１と、物体側に凸面を向けたメニスカス形状の第２の負レンズＬ１２と、両凸形状の第１の正レンズＬ１３と、両凹形状の第３の負レンズＬ１４と、両凸形状の第２の正レンズＬ１５と、から構成される。すなわち、第１レンズ群Ｇ１は５枚のレンズから構成される。第２の負レンズＬ１２は、像側のレンズ面が非球面である。
【００９６】
第２レンズ群Ｇ２は、物体側から順に並んだ、像側に凸面を向けたメニスカス形状の第１の負レンズＬ２１と、像側に凸面を向けたメニスカス形状の第１の正レンズＬ２２と、両凸形状の第２の正レンズＬ２３と、両凸形状の第３の正レンズＬ２４と、物体側に凸面を向けたメニスカス形状の第２の負レンズＬ２５と、像側に凸面を向けたメニスカス形状の第３の負レンズＬ２６と、から構成される。すなわち、第２レンズ群Ｇ２は６枚のレンズから構成される。第１の正レンズＬ２２は、像側のレンズ面が非球面である。第３の正レンズＬ２４は、像側のレンズ面が非球面である。
【００９７】
第２レンズ群Ｇ２の像側に、像面Ｉが配置される。第２レンズ群Ｇ２と像面Ｉとの間における像面Ｉの近傍に、像面Ｉに配設される撮像素子（例えば、ＣＣＤやＣＭＯＳ等）の限界解像以上の空間周波数をカットするためのローパスフィルタＦＬが配置される。第４実施例に係る光学系ＷＬ（４）では、無限遠から近距離物体への合焦の際、第１レンズ群Ｇ１が固定されるとともに、第２レンズ群Ｇ２が光軸に沿って物体側へ移動して、第１レンズ群Ｇ１と第２レンズ群Ｇ２との間隔が変化する（小さくなる）ように構成される。また、合焦の際、開口絞りＳが第２レンズ群Ｇ２とともに光軸に沿って移動するように構成される。
【００９８】
以下の表４に、第４実施例に係る光学系の諸元の値を掲げる。
【００９９】
（表４）
［全体諸元］
ｆ＝24.09
ＦＮＯ＝1.65
２ω＝85.0
Ｙ＝21.60
Ｂｆ＝16.091 (空気換算長）
ＴＬ＝98.489(空気換算長）
φ１ｂ＝27.94
Ｘ２＝-3.837
［レンズ諸元］
面番号        Ｒ          Ｄ         ｎｄ        νｄ
1       331.20889      2.200      1.58913      61.2
2        20.26007      7.099
3        28.21954      1.000      1.69680      55.5
4*       23.24760      6.765
5        54.21538      5.983      1.95375      32.3
6      -135.86729      2.821
7       -43.70270      1.000      1.74077      27.7
8        75.22383      0.100
9        49.75549      6.465      1.75500      52.3
10      -39.38857      D10（可変）
11          ∞         9.687                        （絞りＳ）
12      -17.89127      1.000      1.84666      23.8
13      -82.98744      0.100
14     -115.72126      4.350      1.92286      20.9
15*     -32.43919      0.200
16      158.09926      5.968      1.75500      52.3
17      -26.81826      0.100
18       58.04640      5.240      1.58913      61.2
19*     -39.44565      0.100
20      165.11070      4.567      1.80518      25.4
21       22.03164      4.040
22          ∞         0.931                        （仮想面）
23     -114.80353      3.000      1.48749      70.3
24     -190.00000      D24（可変）
25          ∞         1.500      1.51680      64.2
26          ∞         0.100
［非球面データ］
第４面
κ=-2.74100E-01
A4=8.68713E-06,A6=-5.16406E-10,A8=3.46658E-12,A10=-4.26743E-15
第１５面
κ=-2.79540E+00
A4=9.40408E-06,A6=2.07357E-08,A8=-4.24422E-11,A10=4.51553E-14
第１９面
κ=-1.16990E+00
A4=-2.05004E-07,A6=3.48317E-08,A8=-9.42820E-11,A10=1.27866E-13
［レンズ群データ］
群      始面      焦点距離
G1        1        71.87
G2       12        42.25
［可変間隔データ］
無限遠合焦状態      近距離合焦状態
ｆ＝24.09         β＝-0.1463
D0          ∞             151.00
D10        9.681             5.843
D24       15.002            18.840
Bf(air)   16.091            19.929
TL(air)   98.489            98.489
［条件式対応値］
条件式（１）  （Ｒ２２＋Ｒ２１）／（Ｒ２２−Ｒ２１）＝1.55
条件式（２）  ｆ／ＴＬ＝0.24
条件式（３）  ｆ２／ＴＬ＝0.43
条件式（４）  Ｂｆ／ｆ＝0.67
条件式（５）  ｆ／ｆ１＝0.34
条件式（６）  ＤＧ１／ＤＧ２＝1.13
条件式（７）  Ｒ１ｂ／φ１ｂ＝-1.41
条件式（８）  Ｙ／ＢＬ＝0.262
条件式（９）  ｜Ｘ２｜／ｆ＝0.16
条件式（１０）  Ｙ×ｆ／ＴＬ＝5.26
【０１００】
図８（ａ）は、第４実施例に係る光学系の無限遠合焦時の諸収差図である。図８（ｂ）は、第４実施例に係る光学系の近距離（至近距離）合焦時の諸収差図である。各収差図より、第４実施例に係る光学系は、諸収差を良好に補正し優れた結像性能を有していることがわかる。
【０１０１】
（第５実施例）
第５実施例について、図９〜図１０および表５を用いて説明する。図９は、本実施形態の第５実施例に係る光学系のレンズ構成を示す図である。第５実施例に係る光学系ＷＬ（５）は、物体側から順に並んだ、正の屈折力を有する第１レンズ群Ｇ１と、正の屈折力を有する第２レンズ群Ｇ２とから構成される。また、第１レンズ群Ｇ１と第２レンズ群Ｇ２との間に、開口絞りＳが配置される。
【０１０２】
第１レンズ群Ｇ１は、物体側から順に並んだ、物体側に凸面を向けたメニスカス形状の第１の負レンズＬ１１と、物体側に凸面を向けたメニスカス形状の第１の正レンズＬ１２と、両凹形状の第２の負レンズＬ１３と、両凸形状の第２の正レンズＬ１４と、から構成される。すなわち、第１レンズ群Ｇ１は４枚のレンズから構成される。第２の正レンズＬ１４は、像側のレンズ面が非球面である。
【０１０３】
第２レンズ群Ｇ２は、物体側から順に並んだ、像側に凸面を向けたメニスカス形状の第１の負レンズＬ２１と、両凸形状の第１の正レンズＬ２２および両凹形状の第２の負レンズＬ２３からなる接合レンズと、両凸形状の第２の正レンズＬ２４と、両凹形状の第３の負レンズＬ２５と、両凹形状の第４の負レンズＬ２６および両凸形状の第３の正レンズＬ２７からなる接合レンズと、から構成される。すなわち、第２レンズ群Ｇ２は７枚のレンズから構成される。第２の正レンズＬ２４は、像側のレンズ面が非球面である。第３の正レンズＬ２７は、像側のレンズ面が非球面である。
【０１０４】
第２レンズ群Ｇ２の像側に、像面Ｉが配置される。第２レンズ群Ｇ２と像面Ｉとの間における像面Ｉの近傍に、像面Ｉに配設される撮像素子（例えば、ＣＣＤやＣＭＯＳ等）の限界解像以上の空間周波数をカットするためのローパスフィルタＦＬが配置される。第５実施例に係る光学系ＷＬ（５）では、無限遠から近距離物体への合焦の際、第１レンズ群Ｇ１が固定されるとともに、第２レンズ群Ｇ２が光軸に沿って物体側へ移動して、第１レンズ群Ｇ１と第２レンズ群Ｇ２との間隔が変化する（小さくなる）ように構成される。また、合焦の際、開口絞りＳが第１レンズ群Ｇ１とともに固定されるように構成される。
【０１０５】
以下の表５に、第５実施例に係る光学系の諸元の値を掲げる。
【０１０６】
（表５）
［全体諸元］
ｆ＝24.88
ＦＮＯ＝1.85
２ω＝85.0
Ｙ＝21.60
Ｂｆ＝16.084  (空気換算長）
ＴＬ＝98.489(空気換算長）
φ１ｂ＝26.32
Ｘ２＝-4.162
［レンズ諸元］
面番号        Ｒ          Ｄ         ｎｄ        νｄ
1       259.93798      1.800      1.61800      63.3
2        23.21609     17.645
3        57.64328      3.617      1.85026      32.4
4       825.22838     10.110
5       -34.47703      1.000      1.80518      25.4 
6       537.21533      0.500
7        87.30361      5.646      1.85108      40.1
8*      -33.94300      2.539
9           ∞         D9（可変）                    （絞りＳ）
10      -51.86043      2.000      1.63980      34.5
11     -625.30255      0.100
12       25.00000     11.041      1.61800      63.3
13      -27.39159      1.000      1.62588      35.7
14       27.16911      0.782
15       24.68610      5.040      1.88202      37.2
16*    -127.35739      3.526
17     -866.88526      1.000      1.64769      33.7
18       37.60165      3.974
19      -29.83312      1.000      1.69895      30.1
20      108.02024      3.000      1.82098      42.5
21*     -34.70573      D21（可変）
22          ∞         1.500      1.51680      63.9
23          ∞         0.100
［非球面データ］
第８面
κ=4.89200E-01
A4=8.32980E-07,A6=1.36681E-09,A8=2.95579E-12,A10=-9.22667E-15
第１６面
κ=-1.97822E+01
A4=1.34043E-05,A6=-1.68712E-08,A8=-6.06266E-11,A10=1.67715E-13
第２１面
κ=1.03830E+00
A4=2.78128E-05,A6=1.14967E-08,A8=6.40144E-10,A10=-8.79238E-13
［レンズ群データ］
群      始面      焦点距離
G1        1        73.76
G2       10        52.78
［可変間隔データ］
無限遠合焦状態      近距離合焦状態
ｆ＝24.88         β＝-0.1525
D0          ∞             150.00
D9         7.119             2.916
D21       14.995            19.198
Bf(air)   16.084            20.287
TL(air)   98.489            98.489
［条件式対応値］
条件式（１）  （Ｒ２２＋Ｒ２１）／（Ｒ２２−Ｒ２１）＝1.18
条件式（２）  ｆ／ＴＬ＝0.31
条件式（３）  ｆ２／ＴＬ＝0.66
条件式（４）  Ｂｆ／ｆ＝0.65
条件式（５）  ｆ／ｆ１＝0.34
条件式（６）  ＤＧ１／ＤＧ２＝1.24
条件式（７）  Ｒ１ｂ／φ１ｂ＝-1.31
条件式（８）  Ｙ／ＢＬ＝0.262
条件式（９）  ｜Ｘ２｜／ｆ＝0.17
条件式（１０）  Ｙ×ｆ／ＴＬ＝6.72
【０１０７】
図１０（ａ）は、第５実施例に係る光学系の無限遠合焦時の諸収差図である。図１０（ｂ）は、第５実施例に係る光学系の近距離（至近距離）合焦時の諸収差図である。各収差図より、第５実施例に係る光学系は、諸収差を良好に補正し優れた結像性能を有していることがわかる。
【０１０８】
上記各実施例によれば、大口径比を有しながら、小型で良好な光学性能を有した光学系を実現することができる。
【０１０９】
ここで、上記各実施例は本願発明の一具体例を示しているものであり、本願発明はこれらに限定されるものではない。
【０１１０】
なお、以下の内容は、本実施形態の光学系の光学性能を損なわない範囲で適宜採用する
ことが可能である。
【０１１１】
本実施形態の光学系の数値実施例として、２群構成のものを示したが、本願はこれに限られず、その他の群構成（例えば、３群等）の光学系を構成することもできる。具体的には、本実施形態の光学系の最も物体側や最も像面側にレンズ又はレンズ群を追加した構成でも構わない。
【０１１２】
本実施形態の光学系において、第２レンズ群Ｇ２に限らず、単独または複数のレンズ群、または部分レンズ群を光軸方向に移動させて、無限遠物体から近距離物体への合焦を行う合焦レンズ群としても良い。この合焦レンズ群は、オートフォーカスにも適用でき、オートフォーカス用の（超音波モータ等を用いた）モータ駆動にも適している。
【０１１３】
また、レンズ群または部分レンズ群を光軸に垂直な方向の成分を持つように移動させ、または、光軸を含む面内方向に回転移動（揺動）させて、手ブレによって生じる像ブレを補正する防振レンズ群としてもよい。
【０１１４】
レンズ面は、球面または平面で形成されても、非球面で形成されても構わない。レンズ面が球面または平面の場合、レンズ加工および組立調整が容易になり、加工および組立調整の誤差による光学性能の劣化を防げるので好ましい。また、像面がずれた場合でも描写性能の劣化が少ないので好ましい。
【０１１５】
レンズ面が非球面の場合、非球面は、研削加工による非球面、ガラスを型で非球面形状に形成したガラスモールド非球面、ガラスの表面に樹脂を非球面形状に形成した複合型非球面のいずれでも構わない。また、レンズ面は回折面としても良く、レンズを屈折率分布型レンズ（ＧＲＩＮレンズ）あるいはプラスチックレンズとしても良い。
【０１１６】
開口絞りは、第１レンズ群と第２レンズ群との間に配置されるのが好ましいが、開口絞りとしての部材を設けずに、レンズの枠でその役割を代用しても良い。
【０１１７】
各レンズ面には、フレアやゴーストを軽減し、コントラストの高い光学性能を達成するために、広い波長域で高い透過率を有する反射防止膜を施しても良い。これにより、フレアやゴーストを軽減し、高コントラストの高い光学性能を達成することができる。
【符号の説明】
【０１１８】
Ｇ１  第１レンズ群                    Ｇ２  第２レンズ群
Ｉ  像面                              Ｓ  開口絞り
【図１】
0006769054.tif 000002
【図２】
0006769054.tif 000003
【図３】
0006769054.tif 000004
【図４】
0006769054.tif 000005
【図５】
0006769054.tif 000006
【図６】
0006769054.tif 000007
【図７】
0006769054.tif 000008
【図８】
0006769054.tif 000009
【図９】
0006769054.tif 000010
【図１０】
0006769054.tif 000011
【図１１】
0006769054.tif 000012
【図１２】
0006769054.tif 000013